(57)【要約】【課題】  清掃性が向上し、かつ整流板を容易に着脱できる一方で清掃時などに多少力が加えられても整流板の脱落を防止する。【解決手段】    内面パネル１０は、整流板２０を取り付ける孔１１と、孔１１の周縁部またはその近傍の一部または全部に、内面パネル１０の裏面側に立ち上がる立ち上がり部１２とを備え、整流板２０は、孔１１を通って内面パネル１０の裏面または立ち上がり部１２に係合する鉤状の爪部２１と、爪部２１を操作する操作部２２とを備え、爪部２１は、内面パネル１０の裏面または立ち上がり部１２に係合する先端部２１１を有し、先端部２１１が立ち上がり部１２に係合する方向に付勢力により付勢されており、操作部２２は、付勢力に対抗するように爪部２１を操作するレンジフード。【選択図】  図８
2014149121.tif 000002
【特許請求の範囲】
【請求項１】
フードの内面に内面パネルと、フードの吸込口の上流側に整流板とを備えるレンジフードであって、
前記内面パネルは、
前記整流板を取り付ける孔と、
前記孔の周縁部またはその近傍の一部または全部に、前記内面パネルの裏面側に立ち上がる立ち上がり部と、
を備え、
前記整流板は、
前記孔を通って前記内面パネルの裏面または前記立ち上がり部に係合する鉤状の爪部と、
前記爪部を操作する操作部と、
を備え、
前記爪部は、前記内面パネルの裏面または前記立ち上がり部に係合する先端部を有し、前記先端部が前記立ち上がり部に係合する方向に付勢力により付勢されており、
前記操作部は、前記付勢力に対抗するように前記爪部を操作する、
レンジフード。
【請求項２】
前記爪部は、前記孔を通る過程において、前記孔若しくは前記立ち上がり部の内周面、または前記孔の内周面と前記内面パネルの表面との第一接続部分、に当接する当接面を前記先端部と頂部との間に有し、
前記当接面は、前記内面パネルに対して傾斜している、
ことを特徴とする請求項１に記載のレンジフード。
【請求項３】
前記当接面の一部または全部は、曲率を有さない平面部を備えることを特徴とする請求項２に記載のレンジフード。
【請求項４】
前記平面部の端部は曲率をもって形成されていることを特徴とする請求項３に記載のレンジフード。
【請求項５】
前記平面部は、前記平面部から盛り上がった段部を有し、前記段部の端部は曲率をもって形成されていることを特徴とする請求項３または４に記載のレンジフード。
【請求項６】
前記孔の内周面と前記内面パネルの表面との第一接続部分は、曲率をもって形成されていることを特徴とする請求項１乃至５いずれかに記載のレンジフード。
【請求項７】
前記内面パネルの裏面と前記立ち上がり部の外周面との第二接続部分は、曲率をもって形成されていることを特徴とする請求項１乃至６いずれかに記載のレンジフード。
【請求項８】
前記爪部は、前記先端部の近傍に引っ掛け部を有することを特徴とする請求項１乃至７いずれかに記載のレンジフード。
【請求項９】
前記爪部は、前記整流板を前記内面パネルに取り付ける際、前記孔若しくは前記立ち上がり部の内周面、または前記孔の内周面と前記内面パネルの表面との接続部分に当接しながら回動し、前記爪部の前記先端部が前記立ち上がり部の先端を超えた後、前記当接しながら回動した回動方向とは逆の方向に回動し、前記内面パネルの裏面または前記立ち上がり部に係合することを特徴とする請求項１に記載のレンジフード。
【請求項１０】
フードの内面に内面パネルと、フードの吸込口の上流側に整流板とを備えるレンジフードであって、
前記内面パネルは、前記整流板を取り付ける孔を備え、
前記整流板は、前記孔を通って前記内面パネルの裏面に係合する爪部を備え、
前記爪部は、前記孔を通る過程において、前記孔の内周面、または前記孔の内周面と前記内面パネルの表面との接続部分、に当接する当接面を有し、
前記当接面は、前記内面パネルに対して傾斜している、
レンジフード。
【発明の詳細な説明】
【技術分野】
【０００１】
本発明は、レンジフードに関し、特に、内面パネルと整流板を備えるレンジフードに関する。
【背景技術】
【０００２】
レンジフードは、内蔵するファンにより空気の流れを発生させ、調理に伴い下方から上昇してくる油煙等を捕集し、油分を回収する。従来から、油煙等を効率よく捕集するために、フード吸込口の上流側に整流板が配置されたレンジフードが知られている。
【０００３】
レンジフードに整流板を取り付ける構造として、整流板に備えられた金具をフード内面の内面パネルに引っ掛ける構造がよく知られている。例えば、特許文献１においては、フードの吸込口に設けられた整流板の着脱を簡単にすることを目的としたレンジフードが開示されている。このレンジフードでは、整流板が、一方の端部に設けた掛け止め部材のフード側への掛け止めと、他方の端に設けた回動可能なフックのフード側の係合孔への掛け止めにより吊り支持される。
【０００４】
また、レンジフードに整流板を取り付ける構造として、取り付けるための金具が内面パネル側に備えられる構造が知られている。例えば、特許文献２においては、整流板をフード側部材に対して簡単且つ確実に係止・係止解除できるようにすることを目的としたレンジフードが開示されている。このレンジフードでは、フードカバーの内面に移動可能に設けた操作摘みを設け、その操作摘みと連動する爪体を、整流板に突設した係止片の係止孔に引っ掛けて使用する。
【０００５】
また、特許文献３においては、整流板の着脱が容易かつ安全に行えるようにすることを目的としたレンジフードが開示されている。このレンジフードでは、フードカバーの内面に、フレームとこのフレームに回動可能に取り付けられた回動部材とこの回動部材を回動付勢するばねとを具備した係止具を取り付け、整流板には、その前端上側に折返し端縁が形成されるように金属板を屈曲して形成し、この折返し端縁が上記回動部材に設けられた切欠部と係合することにより、整流板がフード内の所定位置に係止保持される。
【先行技術文献】
【特許文献】
【０００６】
【特許文献１】特開平５−３２２２５３号公報
【特許文献２】特開２００１−００４１８１号公報
【特許文献３】特開２００５−１５５９５７号公報
【発明の概要】
【発明が解決しようとする課題】
【０００７】
しかし、特許文献１に示すような単純な爪を引っ掛ける取付構造では、清掃時等に整流板に力が加わった場合取り付けが外れて整流板が落下してしまう恐れがある。また、特許文献２や３に示すような取り付けるための金具では、金具等の部品が内面パネルから突出するので、内面パネルの清掃の際に邪魔になり清掃性を悪くしていた。
【０００８】
そこで、本発明は、内面パネルの表側における突出部を減らすことで清掃性が向上し、かつ整流板を容易に着脱できる一方で清掃時などに多少力が加えられても整流板の脱落を防止することができるレンジフードを提供するものである。
【課題を解決するための手段】
【０００９】
上記課題を解決するために、フードの内面に内面パネルと、フードの吸込口の上流側に整流板とを備えるレンジフードであって、内面パネルは、整流板を取り付ける孔と、その孔の周縁部またはその近傍の一部または全部に、内面パネルの裏面側に立ち上がる立ち上がり部と、を備え、整流板は、孔を通って内面パネルの裏面または立ち上がり部に係合する鉤状の爪部と、爪部を操作する操作部と、を備え、爪部は、内面パネルの裏面または立ち上がり部に係合する先端部を有し、その先端部が立ち上がり部に係合する方向に付勢力により付勢されており、操作部は付勢力に対抗するように爪部を操作する、レンジフードが提供される。
これによれば、内面パネルの表側における突出部を減らすことで清掃性が向上し、かつ、爪部が内面パネルの裏面また立ち上がり部に係合し、立ち上がり部により規制されることで清掃時などにより多少力が加えられても整流板の脱落を防止することができるレンジフードを提供することができる。
【００１０】
さらに、爪部は、孔を通る過程において、孔若しくは立ち上がり部の内周面、または孔の内周面と内面パネルの表面との第一接続部分、に当接する当接面を前記先端部と頂部との間に有し、当接面は、内面パネルに対して傾斜していることを特徴としてもよい。
これによれば、爪部の当接面が傾斜していることで爪部を孔に挿入し易くなり、また、立ち上がり部に係合する方向に移動するように付勢された爪部の当接面が、孔の内周面等に当接しながら孔を通過することで整流板を内面パネルに円滑に取り付けられ、爪部の先端部が内面パネルの裏面等に係合した際には、使用者に対して確かに係合したことを認識させることができる。
【００１１】
さらに、当接面の一部または全部は、曲率を有さない平面部を備えることを特徴としてもよい。
これによれば、孔の内周面に対して線で当接するため、傷が付きにくく、塗装がはがれにくい。
【００１２】
さらに、平面部の端部は曲率をもって形成されていることを特徴としてもよい。
これによれば、端部によって傷がつくことを抑制することができる。
【００１３】
さらに、平面部は、平面部から盛り上がった段部を有し、段部の端部は曲率をもって形成されていることを特徴としてもよい。
これによれば、爪部の強度を向上させることができると共に、段部の端部によって傷がつくことを抑制することができる。
【００１４】
さらに、孔の内周面と内面パネルの表面との第一接続部分は、曲率をもって形成されていることを特徴としてもよい。
これによれば、整流板を内面パネルにより円滑に取り付けられる。
【００１５】
さらに、内面パネルの裏面と立ち上がり部の外周面との第二接続部分は、曲率をもって形成されていることを特徴としてもよい。
これによれば、爪部の先端が立ち上がり部の先端を容易に乗り越えられるので、整流板を内面パネルから容易に取り外すことができる。
【００１６】
さらに、爪部は、先端部の近傍に引っ掛け部を有することを特徴としてもよい。
これによれば、引っ掛け部が立ち上がり部に確実に係合することで整流板の脱落を防止することができる。
【００１７】
さらに、爪部は、整流板を内面パネルに取り付ける際、孔若しくは立ち上がり部の内周面、または孔の内周面と内面パネルの表面との接続部分に当接しながら回動し、爪部の先端部が立ち上がり部の先端を超えた後、当接しながら回動した回動方向とは逆の方向に回動し、内面パネルの裏面または立ち上がり部に係合することを特徴としてもよい。
これによれば、整流板を内面パネルに円滑に取り付けられると共に、使用者に対して確かに係合したことを認識させることができる。
【００１８】
また、上記課題を解決するために、フードの内面に内面パネルと、フードの吸込口の上流側に整流板とを備えるレンジフードであって、内面パネルは、整流板を取り付ける孔を備え、整流板は、孔を通って内面パネルの裏面に係合する爪部を備え、その爪部は、孔を通る過程において、孔の内周面、または孔の内周面と内面パネルの表面との接続部分、に当接する当接面を有し、当接面は、内面パネルに対して傾斜している、レンジフードが提供される。
これによれば、爪部の当接面が傾斜していることで爪部を孔に挿入し易くなり、また、立ち上がり部に係合する方向に移動するように付勢された爪部の当接面が、孔の内周面等に当接しながら孔を通過することで整流板を内面パネルに円滑に取り付けられる。
【発明の効果】
【００１９】
以上説明したように、本発明によれば、内面パネルの表側における突出部を減らすことで清掃性が向上し、かつ整流板を容易に着脱できる一方で清掃時などに多少力が加えられても整流板の脱落を防止することができるレンジフードを提供することができる。
【図面の簡単な説明】
【００２０】
【図１】本発明に係る第一実施例におけるレンジフードの、（Ａ）整流板を取り付けた時の右下から見た斜視図、（Ｂ）整流板を取り外した時の右下から見た斜視図。
【図２】本発明に係る第一実施例におけるレンジフードの前後方向断面における断面図であり、（Ａ）整流板を取り付けた時の断面図、（Ｂ）整流板の着脱方法を示した断面図。
【図３】本発明に係る第一実施例におけるレンジフードの整流板を取り外した時の右下から見た、（Ａ）孔の部分拡大図、（Ｂ）爪部の部分拡大図、（Ｃ）軸支部の部分拡大図、（Ｄ）軸受部の部分拡大図。
【図４】本発明に係る第一実施例におけるレンジフードの爪部の、（Ａ）正面図、（Ｂ）右側面図、（Ｃ）背面図、（Ｄ）平面図、（Ｅ）底面図、（Ｆ）左側面図、（Ｇ）右下から見た斜視図、（Ｈ）左下から見た斜視図、（Ｉ）左上から見た斜視図、（Ｊ）右上から見た斜視図。
【図５】本発明に係る第一実施例におけるレンジフードの爪部の断面図。
【図６】本発明に係る第一実施例におけるレンジフードの孔の、（Ａ）正面図、（Ｂ）右側面図、（Ｃ）平面図、（Ｄ）底面図、（Ｅ）右下から見た斜視図、（Ｆ）右上から見た斜視図。
【図７】本発明に係る第一実施例におけるレンジフードの孔の、（Ａ）図６の（II）―（II）における断面図、（Ｂ）図６の（Ｉ）―（Ｉ）における断面図。
【図８】本発明に係る第一実施例におけるレンジフードにおける、整流板の着脱工程を示した説明図。
【図９】本発明に係る他の実施例におけるレンジフードの爪部を示す断面図。
【図１０】本発明に係る他の実施例におけるレンジフードの立ち上がり部を示す断面図。
【発明を実施するための形態】
【００２１】
以下では、図面を参照しながら、本発明に係る各実施例について説明する。
＜第一実施例＞
図１は、本実施例におけるレンジフード１の、整流板を取り付けた時の右下から見た斜視図（Ａ）と整流板を取り外した時の右下から見た斜視図（Ｂ）を示す。また、図２は、レンジフード１の前後方向断面における断面図であり、（Ａ）整流板を取り付けた時の断面図、（Ｂ）整流板の着脱方法を示した断面図である。また、図３は、それぞれ、（Ａ）孔１１の、（Ｂ）爪部２１の、（Ｃ）軸支部１７の、（Ｄ）軸受部２５の部分拡大図である。
【００２２】
レンジフード１は、ファン４を内蔵する送風ボックス３の下部に、内面に内面パネル１０を有する薄型のフード２を備える。フード２は、送風ボックス３の接続部付近であって、フード２のほぼ中央部に、ファン４により発生した空気の流れを吸い込む吸込口５を備える。吸込口５は、油分を捕集するためのフィルタを備える。
【００２３】
レンジフード１は、吸込口５の空気の上流側に整流板２０を備え、油煙等を含む空気の流れを整流し、油分の捕集効率を高める。上昇してきた油煙等を含む空気は、内面パネル１０で受け止められ、内面パネル１０と整流板２０との間の隙間を通って、吸込口５に吸込まれると共にフィルタで油分が回収され、室外などへ排出される。即ち、内面パネル１０の表面や、内面パネル１０と整流板２０との間の隙間に存在する物は、油分が付着し易く汚れが溜まり易い場所である。また、内面パネル１０は、フード２の内面を構成する部材であり、フード２と一体に構成されているものや、フード２の内面に一体成型部品として一部材として設けられたもの、分割した状態で設けられたもの、また分割できる態様で設けられたものであってもよい。
【００２４】
整流板２０は、フード２に取り付けられた場合に奥側になる一辺に一対の軸受部２５を備える。整流板２０は、軸受部２５が内面パネル１０の奥側に備えられた一対の軸支部１７に軸支されることで、奥側を回転自在に支持される。整流板２０は、フード２に取り付けられた場合に手前側になる方に一対の爪部２１を備える。爪部２１は、整流板２０の左右一対に、かつ整流板取付状態において互いに内側または外側を向くように設けられることが好ましい。これによれば、整流板２０に左右方向の力を加えたとしても、その動きを抑制することができる。また、内面パネル１０は、軸支された整流板２０の爪部２１と対応する位置に孔１１を備える。整流板２０は、爪部２１が内面パネル１０の孔１１を通って内面パネル１０の裏側などに係合することで、手前側を支持される。なお、本実施例においては、整流板２０をフード２に取り付けた状態で手前側になる方の位置に一対の爪部２１を備え、奥側になる方の位置で整流板を軸支部１７によって軸支している構成としたが、それとは逆の位置関係で爪部および軸支部を備える構成としても良い。すなわち、爪部を整流板がフードに取り付けられた状態で奥側になる方の位置に一対に設け、軸支部を手前側になる方の位置に備える構成としても良いものである。
【００２５】
整流板２０は、爪部２１が孔１１を通り内面パネル１０に係合した場合、図２（Ａ）が示すように内面パネル１０の表面とはほぼ平行をなすように設置され、係合を離れた場合には、図２（Ｂ）が示すように奥側で軸受部２５が軸支部１７に支持され、手前側で矢印ＤＯＣのように動く。レンジフード１が使用状態においては、内面パネル１０の表面にある孔１１は油煙に曝され、また、爪部２１は、内面パネル１０と整流板２０の間の隙間に位置するため、油分が付着しやすい部分である。
【００２６】
内面パネル１０の奥側に位置する軸支部１７は、図３（Ｂ）が示すように、回転自在に軸支し易いように断面が円形の線材を加工してある。軸受部２５は、図３（Ｄ）が示すように、軸支部１７の線材に引っ掛けやすいように平板を加工し鉤状になっている。図３（Ａ）に示す孔１１と図３（Ｂ）に示す爪部２１は、以下に詳述する。
【００２７】
図４は爪部２１の正六面図および斜視図を示し、図５は爪部２１の断面図を示す。爪部２１は、内面パネル１０の裏面などに係合し易いように鉤状の形状をなしており、その先端に実際に内面パネル１０の裏面または立ち上がり部１２（後述）に係合する先端部２１１を有する。爪部２１は、操作部２２と一体成形されており、一体成形された部材として爪部ボックス２３の中に収められた爪部軸支部２６により軸支され、爪部軸支部２６を中心に回動自在に回動するように取り付けられている。
【００２８】
上述の一体成形された部材は、爪部ボックス２３の中で矢印ＤＳの方向にバネ２４により付勢されており、操作部２２を爪部ボックス２３の中の方へ押し込めるようになっていて、押し込める力を解放すると元に戻ろうとし、爪部ボックス２３の内側で当接し止まる。操作部２２は、作業者が行うかかる動きに伴い、爪部２１を回動させ操作することとなる。即ち、作業者が操作部２２を爪部ボックス２３の中の方へ押し込むと、操作部２２は、バネ２４の付勢力に対抗するように爪部２１を回動するように操作する。作業者が操作部２２を放すと、操作部２２は、バネ２４の付勢力により爪部２１を、押し込む時とは逆方向に回動するように操作する。
【００２９】
爪部２１は、その根元辺りを爪部軸支部２６に支持されて、爪部ボックス２３の上方へ表出している。表出した爪部２１は、操作部２２とは反対の方へ鉤状に湾曲した形状をなす。従って、鉤状の爪部２１の先端に位置する先端部２１１は、爪部軸支部２６を挟んで操作部２２とは反対側に位置する。そうすると、爪部２１は、全体として先端部１２１が立ち上がり部に係合する方向（矢印ＤＥの方向）に移動（回動）するようにバネ２４の付勢力により付勢されており、爪部軸支部２６を回転軸として回動する。
【００３０】
なお、本実施例では、バネ２４により付勢力が与えられているが、爪部と操作部が一体成形された部材自体が弾性力を有し、付勢力を持ってもよい。本実施例では、一体成形された部材は、断面図の奥行き方向には全体として曲率を有した形状ではないが、これに限定されず、全体として曲率を有していてもよい。
【００３１】
爪部２１は、操作部２２とは反対の方へ、頂部２１６を形成するように湾曲し、その頂部２１６と先端部２１１との間に孔１１の内周面等に当接する当接面２１２を有する。また、本実施例では、爪部２１は、内面パネル１０の立ち上がり部（後述）に確実に係合させるため、先端部２１１の近傍に爪部２１の根元の方へさらに折れ曲がった引っ掛け部２１５を有する。爪部２１は、当接面２１２のほぼ全部に曲率を有さない平面部２１３を有する。これによれば、孔１１の内周面に対して線で当接するため、傷が付きにくく、塗装がはがれにくい。なお、平面部２１３は、引っ掛け部２１５を形成するための屈曲した部分と頂部２１６との間の一部に形成されてもよい。また、平面部２１３は、平面部２１３から鉤状の外側に湾曲した方向へ盛り上がった段部２１４を有する。これにより、爪部の強度を向上させることができる。
【００３２】
平面部２１３の端部２１７は、角がなく曲率をもって形成されていてもよい。これによれば、端部の角によって内面パネル１０の孔１１の内周面等に傷がつくことを抑制することができる。また、段部２１４の端部２１８は、角がなく曲率をもって形成されていてもよい。これによれば、段部２１４の端部２１８の角によって内面パネル１０の孔１１の内周面等に傷がつくことを抑制することができる。なお、曲率は、例えば、おおよそ２ｍｍ―1以下で適宜定められる。
【００３３】
図６は孔１１の正六面図および斜視図を示し、図７は孔１１の断面図を示す。なお、内面パネル１０については、孔１１を拡大して示すためにその一部のみを表している。孔１１は、整流板２０を取り付けるために内面パネル１０に設けられている。孔１１の形状は、隅が曲率を有する長方形であるが、これに限定されず、鉤状の爪部２１を通す大きさ、形状であればよい。
【００３４】
内面パネル１０は、孔１１の周縁部の全部に孔１１を囲むように内面パネル１０の裏面１４側に立ち上がる立ち上がり部１２を備える。なお、本実施例では、立ち上がり部１２は、孔１１の周縁部の全部に備えられているが、これに限定されず、爪部２１が係合する位置に一部のみ設けられてもよい。また、立ち上がり部１２は、孔１１の周縁部に備えられているが、これに限定されず、図１０で後述するように、周縁部から少し離れた近傍にあってもよい。孔１１の周縁部にあるのと同じ効果が得られるからである。
【００３５】
立ち上がり部１２は、内面パネル１０の裏面１４から、爪部２１が係合するに十分な高さを有するように形成される。本実施例の場合、爪部２１は根元の方へさらに折れ曲がった引っ掛け部２１５を有するので、折れ曲がった先端部２１１が係合するように定められる。
【００３６】
孔１１は、内面パネル１０をプレス加工することにより作製され、第一接続部分１５から始まり、孔の内周面１１１と、それから継ぎ目なく裏面１４側へ延伸する立ち上がり部の内周面１２２とから形成され、立ち上がり部の先端部１２１で終わる。なお、本明細書では、孔の内周面１１１は、内面パネル１０の表面１３から裏面１４までの厚み分の内周面を、立ち上がり部の内周面１２２は、裏面１４から立ち上がり部の先端部１２１までの高さ分の内周面を意味する。また、第一接続部分１５は、孔の内周面１１１と平面をなす表面１３との接続部分を、第二接続部分１６は、平面をなす裏面１４と立ち上がり部の外周面１２３との接続部分を意味する。また、立ち上がり部の先端部１２１の平面視の幅は、内面パネル１０の厚みとほぼ同じである。
【００３７】
第一接続部分１５は、整流板２０を内面パネル１０に取り付ける際、爪部２１特に当接面２１２が当接する部分であり、曲率をもって形成されることで整流板２０を内面パネル１０に円滑に取り付けることができる。また、第二接続部分１６は、曲率をもって形成されている。これによれば、整流板２０を内面パネル１０から取り外す際、爪部２１が回動することにより爪部２１の先端部２１１が摺動し、立ち上がり部の先端部１２１を容易に乗り越えられるので、整流板２０を内面パネル１０から容易に取り外すことができる。
【００３８】
上述したレンジフード１において、内面パネル１０は、整流板２０を取り付ける孔１１と、孔１１の周縁部の全部に、内面パネル１０の裏面１４側に立ち上がる立ち上がり部１２とを備える。また、整流板２０は、孔１１を通って内面パネル１０の裏面１４または立ち上がり部１２に係合する鉤状の爪部２１と、爪部２１を操作する操作部２２とを備える。そして、爪部２１は、内面パネル１０の裏面１４または立ち上がり部１２に係合する先端部２１１を有し、先端部１２１が立ち上がり部１２に係合する方向（矢印ＤＥの方向）に移動（回動）するように付勢力により付勢されており、操作部２２は、その付勢力に対抗するように爪部２１を操作する。内面パネル１０の表面、特に孔１１が位置する内面パネル１０と整流板２０との間の隙間辺りの表面は、油分が付着し易く汚れが溜まり易い場所であるが、これによれば、内面パネル１０の表側における突出部を減らすことで清掃性を向上させることができる。さらに、爪部２１が内面パネル１０の裏面１４または立ち上がり部１２に係合し、立ち上がり部１２により規制されることで清掃時などにより多少力が加えられても整流板２０の脱落を防止することができる。
【００３９】
図８を参照し、整流板２０の内面パネル１０への着脱工程を説明する。（Ａ）は、作業者が奥側で軸支された整流板２０をＤＣ方向に動かして、頂部２１６から左下方向に延伸された当接面２１２が孔の曲率を有する内周面１１１に当接し始めた時を示す。頂部２１６全体が孔１１の中に入り込むようになっている。換言すれば、爪部２１と孔１１との位置関係は、頂部２１６の一部が内面パネル１０の表面１３に当接することがない位置関係にあり、好ましくは、頂部２１６の一部が第一接続部分１５や孔の内周面１１１に当接することも無い位置関係である。これにより、整流板２０を内面パネル１０に容易に取り付けることができる。
【００４０】
当接面２１２は、孔の内周面１１１に当接するが、内面パネル１０の表面１３とは平行ではないため、即ち当接時において内面パネル１０に対して傾斜しているため、孔の内周面１１１に線で当接するように当接する。これにより、両者が面で当接するよりも摩擦力が軽減され、整流板２０を容易に取り付けることができる。当接面２１２と内面パネル１０の表面１３とがなす角度は、０度を超え９０度未満の範囲で特に限定されないが、４５度±２０度の範囲が好ましい。両者がなす角度が小さいと、即ち両者が平行に近くなると、当接面２１２は第一接続部分１５に当接するようになり、逆に両者の角度が大きくなると、即ち両者が直角に近くなると、立ち上がり部の内周面１２２に当接するようになる。
【００４１】
（Ｂ）は、整流板２０をさらにＤＣ方向に動かすことで、爪部２１は、爪部軸支部２６を中心としてバネ２４の付勢力に抗するようにＤＦ方向に回動することを示す。引っ掛け部を形成するために屈曲する部分や当接面２１２は、整流板２０をＤＣ方向に動かすにつれて爪部２１はＤＦ方向に回動しつつ、立ち上がり部の内周面１２２を摺動する。
【００４２】
（Ｃ）は、爪部の先端部２１１が立ち上がり部の先端部１２１付近まで接近し、引っ掛け部２１５が立ち上がり部の内周面１２２の上端に当接していることを示す。爪部２１は、この時最もＤＦ方向に回動した位置にあり、バネ２４から最も大きい付勢力を受ける。
【００４３】
（Ｄ）は、爪部の先端部２１１が立ち上がり部の先端部１２１を乗り越え、爪部２１がバネ２４のＤＳ方向へ伸びる付勢力によりＤＢ方向に回動し、内面パネル１０の裏面１４に係合したことを示す。この状態が、整流板２０が内面パネル１０に装着された状態である。これによれば、引っ掛け部２１５が確実に立ち上がり部１２に係合することで、清掃時などに多少力が加えられても整流板２０の脱落を防止することができる。
【００４４】
（Ｅ）は、整流板２０を内面パネル１０から取り外す際に、作業者が操作部２２をＤＰ方向に押して、爪部２１がＤＦ方向に回動することを示す。爪部２１がＤＦ方向に回動すると共に、爪部の先端部２１１が曲率を有する第二接続部分を摺動する。これによれば、爪部の先端部２１１が立ち上がり部の先端部１２１を容易に乗り越えられるので、整流板２０を内面パネル１０から容易に取り外すことができる。
【００４５】
（Ｆ）は、（Ｅ）に示す状態からさらにＤＦ方向に押して、爪部の先端部２１１が立ち上がり部の先端部１２１を孔１１の方へ乗り越えた状態を示す。この状態になった時、爪部２１は内面パネル１０との係合を離れ、作業者はＤＯ方向に整流板２０を動かすことができる。これにより、清掃時などに多少力が加えられても整流板２０の脱落を防止することができる一方で、整流板２０を容易に着脱できる。
【００４６】
上述したように、爪部２１は、孔１１を通る過程において、孔の内周面１１１若しくは立ち上がり部の内周面１２２、または孔の内周面１１１と内面パネル１０の表面１３との第一接続部分１５、に当接する当接面２１２を爪部の先端部２１１と頂部２１６との間に有し、当接面２１２は、内面パネル１０に対して傾斜している。なお、鉤状の爪部２１は根元から上方に伸び、さらに爪部の先端部２１１に向かって下方へ折り返すように形成されるが、頂部２１６は、爪部２１の最も高い部分を言う。これによれば、爪部の当接面２１２が先端部２１１に向けて傾斜していることで爪部２１を孔１１に挿入し易くなる。また、爪部の先端部２１１が立ち上がり部１２に係合する方向（ＤＥ方向）に移動（回動）するように付勢された爪部の当接面２１２が、孔の内周面等に当接しながら孔１１を通過することで整流板２０を内面パネル１０に円滑に取り付けられ、爪部の先端部２１１が内面パネル１０の裏面等に係合する際には、付勢力で勢いよく係合するので使用者に対して確かに係合したことを認識させることができる。
【００４７】
また、爪部２１は、整流板２０を内面パネル１０に取り付ける際、孔の内周面１１１若しくは立ち上がり部の内周面１２２、または孔の内周面１１１と内面パネル１０の表面１３との接続部分１５に当接しながら回動し、爪部２１の先端部２１１が立ち上がり部１２の先端部１２１を超えた後、当接しながら回動した回動方向とは逆の方向に回動し、内面パネル１０の裏面１４または立ち上がり部１２に係合する。これによれば、整流板を内面パネルに円滑に取り付けられると共に、使用者に対して確かに係合したことを認識させることができる。
【００４８】
また、レンジフード１は、フード２の内面に内面パネル１０と、フード２の吸込口５の上流側に一辺を軸支される整流板２０とを備え、内面パネル１０は、整流板２０を取り付ける孔１１を備え、整流板２０は、孔１１を通って内面パネル１０の裏面１４に係合する爪部２１を備え、爪部２１は、孔１１を通る過程において、孔の内周面１１１、または孔の内周面と内面パネルの表面との接続部分に当接する当接面２１２を有し、当接面２１２は、内面パネル１０に対して傾斜している。これによれば、爪部の当接面が傾斜していることで爪部を孔に挿入し易くなり、また、立ち上がり部１２に係合する方向に移動するように付勢された爪部の当接面が、孔の内周面等に当接しながら孔を通過することで整流板を内面パネルに円滑に取り付けられる。
【００４９】
＜その他の実施例＞
図９は、爪部についてその他の実施例を示す断面図である。（Ａ）に示す爪部２１Ａは、根元からほぼ垂直に上方に延伸し、頂部で半円を描くように湾曲する爪部である。この爪部２１Ａは引っ掛け部を備えないが、先端部２１１Ａが裏面か立ち上がり部に係合する。
【００５０】
（Ｂ）の爪部２１Ｂは、根元から斜め左上方に延伸し、１つ目の屈曲部で頂部がほぼ水平をなす直線的な形状を形成し、２つ目の屈曲部で先端部２１１Ｂに向けて左下方へ延伸し、直線的な当接面２１２Ｂを有する。引っ掛け部２１５Ｂは、当接面２１２Ｂの反対側へほぼ直角に突出して形成される。
【００５１】
（Ｃ）の爪部２１Ｃは、根元から斜め左上方に延伸し、１つ目の屈曲部で頂部がほぼ水平をなす直線的な形状を形成し、２つ目の屈曲部で先端部２１１Ｃに向けて左下方へ延伸し、直線的な当接面２１２Ｃを有する。引っ掛け部２１５Ｃは、当接面２１２Ｃの反対側であって真下方向へ突出した後水平方向右へ屈曲して形成される。
【００５２】
（Ｄ）の爪部２１Ｄは、根元から斜め左上方に延伸し、その先に円筒部が形成されている。円筒部の頂部は爪部の頂部となり、円筒部の左上部分は当接面２１２Ｄとなり、円筒部の下部は爪部の先端部２１１Ｄとなり、円筒部の右下部分は引っ掛け部２１５Ｄとなる。
【００５３】
図１０は、立ち上がり部についてその他の実施例を示す断面図である。（Ａ）は立ち上がり部が無い場合を示す。（Ｂ）の立ち上がり部１２Ｂは、内面パネル１０Ｂの裏面１４Ｂに凹部を形成することにより形成されている。立ち上がり部１２Ｂの外周面１２３Ｂは、上記凹部の側面と一致する。第一接続部分１５Ｂと第二接続部分１６Ｂは曲率を有している。
【００５４】
（Ｃ）の立ち上がり部１２Ｃは、孔１１Ｃの周縁部の近傍に、内面パネル１０Ｃの裏面１４Ｃからほぼ垂直上方に向けて形成されている。この場合、孔の内周面１１１Ｃと立ち上がり部１２Ｃの内周面１２２Ｃは連続していない。
【００５５】
（Ｄ）の立ち上がり部１２Ｄは、孔１１Ｄの周縁部の近傍に、内面パネル１０Ｃの裏面１４Ｄから斜め右上方に向けて形成されている。この場合、第二接続部分は曲率を有さないが、緩やかな角度をなしているので爪部の先端部は滑らかに摺動する。
【００５６】
（Ｅ）の立ち上がり部１２Ｅは、第一実施例の立ち上がり部１２と本図（Ｃ）の立ち上がり部１２Ｃとを組み合わせたものであり、２つの立ち上がり部を備える。内面パネル１０Ｅの板厚以上の幅を備える先端部１２１Ｅを有することができ、孔１１Ｅから離れたところで爪部を係合させることができる。
【００５７】
上記いずれの爪部および図１０（Ａ）以外のいずれの立ち上がり部においても、爪部が内面パネルの裏面また立ち上がり部に係合し、立ち上がり部により規制されることで清掃時などにより多少力が加えられても整流板の脱落を防止することができる
【００５８】
なお、本発明は、例示した実施例に限定するものではなく、特許請求の範囲の各項に記載された内容から逸脱しない範囲の構成による実施が可能である。即ち、本発明は、主に特定の実施形態に関して特に図示され、かつ説明されているが、本発明の技術的思想および目的の範囲から逸脱することなく、以上述べた実施形態に関し、形状、材質、数量、その他の詳細な構成において、当業者が様々な変形を加えることができるものである。従って、上記に開示した形状などを限定した記載は、本発明の理解を容易にするために例示的に記載したものであり、本発明を限定するものではないから、それらの形状等の限定の一部もしくは全部の限定を外した部材の名称での記載は、本発明に含まれるものである。
【符号の説明】
【００５９】
１      レンジフード
２      フード
３      送風ボックス
４      ファン
５      吸込口
１０    内面パネル
１１    孔
１１１  孔の内周面
１２    立ち上がり部
１２１  立ち上がり部の先端部
１２２  立ち上がり部の内周面
１２３  立ち上がり部の外周面
１３    内面パネル表面
１４    内面パネル裏面
１５    第一接続部分
１６    第二接続部分
１７    軸支部
２０    整流板
２１    爪部
２１１  爪部の先端部
２１２  当接面
２１３  平面部
２１４  段部
２１５  引っ掛け部
２１６  頂部
２１７  平面部の端部
２１８  段部の端部
２２    操作部
２３    爪部ボックス
２４    バネ
２５    軸受部
２６    爪部軸支部
ＤＯＣ  整流板の着脱方向
ＤＣ    整流板の取り付け方向
ＤＯ    整流板の取り外し方向
ＤＥ    先端部が立ち上がり部に係合する方向
ＤＳ    バネの付勢方向
ＤＰ    使用者が操作部を操作する方向
ＤＦ    当接しながら回動する方向（整流板を取り付ける時回動する方向）
ＤＢ    バネの付勢力により回動する方向（当接しながら回動する方向とは反対の回動方向）
【図１】
2014149121.tif 000003
【図２】
2014149121.tif 000004
【図３】
2014149121.tif 000005
【図４】
2014149121.tif 000006
【図５】
2014149121.tif 000007
【図６】
2014149121.tif 000008
【図７】
2014149121.tif 000009
【図８】
2014149121.tif 000010
【図９】
2014149121.tif 000011
【図１０】
2014149121.tif 000012